(57)【要約】      （修正有）【課題】市販のキャリーケースを背負って階段等を昇降できるようにするキャリーケース用肩ベルトを提供する。【解決手段】キャリーケース用肩ベルト１の一端に、キャリーケースの複数のキャスターのうちの１つに被せることのできる第１のキャスターカバー６が設けられている一方で、該肩ベルト１の他端に、別のキャスターに被せることのできる第２のキャスターカバー８が設けられており、キャリーケースの手提げハンドルの一部又はキャリーハンドルの伸縮杆体に巻き付けることができる程度の長さを有する。キャスターカバー６、８の開口１０が収縮する方向へ付勢されるように、開口１０の縁に沿って弾性部材が設けられている。【選択図】図１
0003230186.tif 000002
【実用新案登録請求の範囲】
【請求項１】
キャリーケースを背負って運ぶことを可能にするキャリーケース用肩ベルトであって、
該肩ベルトの一端に、キャリーケースの複数のキャスターのうちの１つに被せることのできる第１のキャスターカバーが設けられている一方で、該肩ベルトの他端に、別のキャスターに被せることのできる第２のキャスターカバーが設けられており、
キャリーケースの手提げハンドルの一部又はキャリーハンドルの伸縮杆体に巻き付けることができる程度の長さを有する、キャリーケース用肩ベルト。
【請求項２】
キャリーケースを背負って運ぶことを可能する２本のキャリーケース用肩ベルトからなる一対のキャリーケース用肩ベルトであって、
各肩ベルトの一端に係合具が設けられている一方で、該肩ベルトの他端に、キャリーケースの複数のキャスターのうちの１つに被せることのできるキャスターカバーが設けられていることを特徴とする、キャリーケース用肩ベルト。
【請求項３】
上記キャスターカバーが袋状の形状に形成されており、
上記キャスターカバーの開口の縁に沿って、該開口を収縮させるように付勢する弾性部材が設けられていることを特徴とする、請求項１又は請求項２に記載のキャリーケース用肩ベルト。
【請求項４】
上記キャスターカバーは、該キャリーケース用肩ベルトから取外し可能に構成されていることを特徴とする、請求項１又は請求項２に記載のキャリーケース用肩ベルト。
【請求項５】
上記係合具がカラビナであることを特徴とする、請求項２に記載のキャリーケース用肩ベルト。
【考案の詳細な説明】
【技術分野】
【０００１】
本考案は、キャリーケース用肩ベルト（肩紐）に関し、詳しくは、市販のキャリーケースを背負って階段などを昇降することを可能にするキャリーケース用肩ベルト（以下、単に「肩ベルト」ともいう）に関する。
【背景技術】
【０００２】
キャリーケースは、複数のキャスターが転がることにより動くものであるため平地での移動には向いているが、キャリーケースの使用者がエスカレータ等のない階段を昇降するときには、キャリーケースを持ち上げる必要がある。
【０００３】
しかし、キャリーケースはたいてい重量が大きいので、これを持ち上げて階段を昇降するには相当な腕力を発揮することが必要とされ、このときに使用者は、バランスをとるために身体を反らせてキャリーケースを運ばなければならない。
【先行技術文献】
【特許文献】
【０００４】
【特許文献１】実用新案登録第３２２５４７８号公報
【考案の概要】
【考案が解決しようとする課題】
【０００５】
キャリーケースの使用者が階段などを昇降する際に、キャリーケースを背負って運ぶことを可能にする道具が求められている。
【課題を解決するための手段】
【０００６】
本考案の一実施例においては、キャリーケースを背負って運ぶことを可能にするキャリーケース用肩ベルトであって、該肩ベルトの一端に、キャリーケースの複数のキャスターのうちの１つに被せることのできる第１のキャスターカバーが設けられている一方で、該肩ベルトの他端に、別のキャスターに被せることのできる第２のキャスターカバーが設けられており、キャリーケースの手提げハンドルの一部又はキャリーハンドルの伸縮杆体に巻き付けることができる程度の長さを有する、キャリーケース用肩ベルトを提供する。
【０００７】
本考案の他の実施例においては、キャリーケースを背負って運ぶことを可能にする２本のキャリーケース用肩ベルトからなる一対のキャリーケース用肩ベルトであって、各肩ベルトの一端に係合具が設けられている一方で、該肩ベルトの他端に、キャリーケースの複数のキャスターのうちの１つに被せることのできるキャスターカバーが設けられていることを特徴とする、キャリーケース用肩ベルトを提供する。
【０００８】
また、上記キャスターカバーが袋状の形状に形成されており、上記キャスターカバーの開口の縁に沿って、該開口を収縮させるように付勢する弾性部材が設けられていることを特徴とする。
【０００９】
また、上記キャスターカバーは、該キャリーケース用肩ベルトから取外し可能に構成されていることを特徴とする。
【００１０】
また、上記係合具がカラビナであることを特徴とする。
【図面の簡単な説明】
【００１１】
【図１】本考案のキャリーケース用肩ベルトの一実施例を示す斜視図。
【図２】肩ベルトのキャスターカバーの例を示す斜視図。
【図３Ａ】キャリーケースに装着された肩ベルトを示す斜視図。
【図３Ｂ】他の取付け方でキャリーケースに装着された肩ベルトを示す斜視図。
【図４】他の実施例におけるキャリーケース用肩ベルトを示す斜視図。
【図５】カラビナを使って肩ベルトを係合させる方法を示す斜視図。
【図６Ａ】キャリーケースに装着された肩ベルトを示す斜視図。
【図６Ｂ】他の取付け方でキャリーケースに装着された肩ベルトを示す斜視図。
【図７】肩ベルトを用いてキャリーケースを背負っている様子を示す斜視図。
【考案を実施するための形態】
【００１２】
本考案のキャリーケース用肩ベルトについて、添付の図面を参照しつつ説明する。
【００１３】
図１〜３Ｂは、１本の肩ベルトからなるキャリーケース用肩ベルトを示し、図４〜６Ｂは、２本の肩ベルトからなる一対のキャリーケース用肩ベルトを示している。
【００１４】
図１は、本考案の一実施例におけるキャリーケース用肩ベルト１を示す。該肩ベルト１の一端に、キャリーケースに設けられた複数のキャスターのうちの１つに被せることのできる第１のキャスターカバー６が設けられている一方で、該肩ベルト１の他端に、別のキャスターに被せることのできる第２のキャスターカバー８が設けられている。
【００１５】
第１のキャスターカバー６と第２のキャスターカバー８は、キャスターに被せることができるように袋状の形状に形成されており、該キャスターカバー６，８の開口１０の縁に沿って口紐１２が設けられている。使用者は、この口紐１２を引っ張ることにより開口１０を収縮させることができる。
【００１６】
キャスターカバー６，８は、丈夫で水を通しにくい布やナイロン等の柔軟な素材からつくられるが、硬質なプラスチック素材から形成される場合もある。キャスターカバー６，８が硬質な素材から形成される場合には、キャリーケースのキャスターがぴったり嵌るような形状に形成されていることが好ましい。
【００１７】
ベルト部２２は、布などの適切な素材からつくられるが、アラミド繊維などの合成繊維からつくられる場合もある。肩ベルト１はまた、キャリーケース２の手提げハンドル１４（図３Ａを参照）又はキャリーハンドル１６の伸縮杆杆杆体１８（図３Ｂを参照）に巻き付けることができる程度の長さを有している。
【００１８】
図２（ａ）に示される実施例においては、キャスターカバー６，８の開口１０が拡張している（図２（ａ）左図）。使用者は、キャスターカバー６，８にキャスター４を収容させた後、開口１０の縁に沿って設けられた口紐１２を引っ張って開口を収縮させることにより、キャリーケースのキャスターにキャスターカバー６，８を被せることができる（図２（ａ）右図）。一実施例においては、キャスターカバー６，８は、肩ベルト１から取り外すことができるように構成されている。
【００１９】
図２（ｂ）に示される他の実施例においては、キャスターカバー６，８の開口１０の縁に沿って設けられたゴム等の弾性部材２４によって開口１０が収縮する方向へ付勢されている（図２（ｂ）左図）。使用者が、キャスターカバー６，８の開口１０の弾性部材２４を引き延ばすと、開口１０が拡張して、キャリーケースのキャスターに被せることができるようになる（図２（ｂ）右図）。
【００２０】
図３Ａの斜視図は、キャリーケース２に装着された肩ベルト１の一態様を示している。使用者は、キャリーケース２の手提げハンドル１４に肩ベルト１のベルト部２２を掛け回し、手提げハンドル１４の下面側を通したベルト部２２を、バーハンドル２６の両端から下方へ延びている２本の伸縮杆体１８間に通して、肩ベルト１の一端に設けられた第１のキャスターカバー６をキャリーケース２の複数のキャスター４のうちの１つに被せる一方で、手提げハンドル１４の上面側を越えたベルト部２２を、バーハンドル２６の両端から下方へ延びている２本の伸縮杆体１８間に通して、該肩ベルト１の他端に設けられた第２のキャスターカバー８を別のキャスター４に被せる。そして使用者は、各キャスターカバー６，８の開口１０に沿って設けられた口紐１２を引っ張って開口１０を収縮させることにより、キャスター４にキャスターカバー６，８を装着させることができる。
【００２１】
図３Ｂの斜視図は、他の取付け方でキャリーケース２に装着された肩ベルト１の他の態様を示している。使用者は、キャリーハンドル１６のバーハンドル２６の両側から下方へ延びている伸縮杆体１８の各々にベルト部２２を掛け回した後、肩ベルト１の一端に設けられた第１のキャスターカバー６を、キャリーケース２の複数のキャスター４のうちの１つに被せる一方で、該肩ベルト１の他端に設けられた第２のキャスターカバー８を別のキャスター４に被せる。そして使用者は、各キャスターカバー６，８の開口１０の縁に沿って設けられた口紐１２を引っ張って開口１０を収縮させることにより、キャスター４にキャスターカバー６，８を装着させることができる。
【００２２】
一実施例において、肩ベルト１は、様々な大きさのキャリーケース２に応じて適切な長さに調節することができるように、ベルト長さ調整具２０を使って調整可能に構成されている。ベルト長さ調整具２０は、当技術分野における従来の適切な調整具であればよい。
【００２３】
図４に示される本考案の他の実施例においては、２本のキャリーケース用肩ベルト３０からなる一対の肩ベルト３０として構成されている。２本の肩ベルト３０のうちの各肩ベルト３０の一端に係合具（カラビナ等）３２が設けられている一方で、肩ベルト３０の他端に、キャリーケース２に設けられた複数のキャスター４のうちの１つに被せることのできる袋状の形状のキャスターカバー３４が設けられている。
【００２４】
本実施例に示す肩ベルト３０もベルト長さ調整具３６を使って、キャリーケース２の手提げハンドル１４の一部又はキャリーハンドル１６の伸縮杆体１８に取り付けるのに適切な長さとなるように調整可能に構成されている。ベルト長さ調整具３６は、当技術分野における従来のベルト長さ調整具であり得る。
【００２５】
キャスター４に被せるためのキャスターカバー３４は、袋状の形状に形成されている。一実施例においては、キャスター４を収容する開口３８の縁に沿って口紐４０が設けられており、使用者は、この口紐４０を引っ張ることによりキャスターカバー３４の開口３８を収縮させることができる（図２（ａ）を参照）。他の実施例においては、開口３８の縁に沿ってゴムなどの弾性部材２４が設けられている場合もある（図２（ｂ）を参照）。その場合に使用者は、弾性部材２４を引き延ばして開口３８を拡張させ、キャスター４に被せることにより、キャスター４にキャスターカバー３４を被せることができる。
【００２６】
図５（ａ）〜（ｄ）は、肩ベルト１，３０の狭幅部４２に連結している係合具（カラビナ）３２を使って、該肩ベルト１，３０をキャリーケース２に装着させる方法を説明する図である。
【００２７】
図５（ａ）に示される実施例においては、肩ベルト３０の狭幅部４２に縦長のカラビナ３２が連結している。使用者は、キャリーケース２の手提げハンドル１４の一部又はキャリーハンドル１６の伸縮杆体１８に狭幅部４２を巻き付けた後、肩ベルト３０に設けられた係合環４４にカラビナ３２を係合させることにより（図５（ａ）右図を参照）、キャリーケース２に肩ベルト３０を装着させることができる。
【００２８】
図５（ｂ）に示される実施例においては、肩ベルト３０の狭幅部４２に横長のカラビナ３２が連結している。使用者は、キャリーケース２の手提げハンドル１４の一部又はキャリーハンドル１６の伸縮杆体１８に狭幅部４２を巻き付けた後、肩ベルト３０に設けられた係合環４４にカラビナ３２を係合させることにより（図５（ｂ）右図を参照）、キャリーケース２に肩ベルト３０を装着させることができる。
【００２９】
図５（ｃ）に示される実施例においては、肩ベルト３０の狭幅部４２に横長のカラビナ３２が連結している。使用者は、キャリーケース２の手提げハンドル１４の一部又はキャリーハンドル１６の伸縮杆体１８に狭幅部４２を巻き付けた後、カラビナ３２を狭幅部４２へ向けて係合させることにより（図５（ｃ）右図を参照）、キャリーケース２に肩ベルト３０を装着させることができる。
【００３０】
図５（ｄ）に示される実施例においては、肩ベルト３０の狭幅部４２に横長のカラビナ３２が連結している。使用者は、キャリーケース２の手提げハンドル１４の一部又はキャリーハンドル１６の伸縮杆体１８に狭幅部４２を巻き付けた後、立ち上げ可能に構成された係合環４６に、カラビナ３２を係合させることにより（図５（ｄ）右図を参照）、キャリーケース２に肩ベルト３０を装着させることができる。
【００３１】
図６Ａの斜視図は、キャリーケース２に装着された一対の肩ベルト３０の一態様を示している。使用者は、２本の肩ベルト３０のうちの各肩ベルト３０の一端に設けられたカラビナ３２をキャリーケース２の手提げハンドル１４の位置に係合させる一方で、他端に設けられたキャスターカバー３４を、キャリーハンドル１６のバーハンドル２６の両端から下方へ延びている２本の伸縮杆体１８間に通してから、キャリーケース２の複数のキャスター４のうちの１つに被せて、肩ベルト３０のキャスターカバー３４の開口１０の縁に沿って設けられた口紐４０を引っ張って開口１０を収縮させることにより、キャスター４にキャスターカバー３４を装着させることができる。
【００３２】
図６Ｂの斜視図は、他の取付け方でキャリーケース２に装着された一対の肩ベルト３０の他の態様を示している。使用者は、２本の肩ベルト３０のうちの各肩ベルト３０の一端に設けられたカラビナ３２をキャリーケース２のキャリーハンドル１６の伸縮杆体１８の位置に係合させる一方で、他端に設けられたキャスターカバー３４を、キャリーケース２の複数のキャスター４のうちの１つに被せて、キャスターカバー３４の開口１０の縁に沿って設けられた口紐４０を引っ張って開口１０を収縮させることにより、キャスター４にキャスターカバー３４を装着させることができる。
【００３３】
本明細書中の各実施例においては、係合具としてカラビナ３２が使われているが、フック、面ファスナなどの他の適切な係合具が使われる場合もある。
【００３４】
図７に示されているように、本考案のキャリーケース用肩ベルト１を使うことにより、使用者４８は、腕力を使うことなくキャリーケースを背負って階段を昇降することができる。また、キャスター４がキャスターカバー６に覆われて露出しないので、使用者４８の衣服がキャスター４に触れて汚れてしまうことがないという利点もある。
【符号の説明】
【００３５】
１…肩ベルト
２…キャリーケース
４…キャスター
６…キャスターカバー
８…キャスターカバー
１０…開口
１２…口紐
１４…手提げハンドル
１６…キャリーハンドル
１８…伸縮杆体
２０…ベルト長さ調整具
２２…ベルト部
２４…弾性部材
２６…バーハンドル
３０…肩ベルト
３２…係合具（カラビナ）
３４…キャスターカバー
３６…ベルト長さ調整具
３８…開口
４０…口紐
４２…狭幅部
４４…係合環
４６…係合環
４８…使用者
【図１】
0003230186.tif 000003
【図２】
0003230186.tif 000004
【図３Ａ】
0003230186.tif 000005
【図３Ｂ】
0003230186.tif 000006
【図４】
0003230186.tif 000007
【図５】
0003230186.tif 000008
【図６Ａ】
0003230186.tif 000009
【図６Ｂ】
0003230186.tif 000010
【図７】
0003230186.tif 000011